【事件の表示】
　特願２０１６−５７４８０号「遊技機」拒絶査定不服審判事件〔平成２９年９月２８日出願公開、特開２０１７−１６９６９８号〕について、次のとおり審決する。
【結　論】
　本件審判の請求は、成り立たない。
【理　由】
第１　手続の経緯の概要
　本願は、平成２８年３月２２日の出願であって、平成３０年１月１２日付けで拒絶の理由が通知され、同年３月１６日に意見書及び手続補正書が提出され、同年８月９日付けで最後の拒絶の理由が通知され、同年１０月１８日に意見書及び手続補正書が提出されたところ、同年１２月２１日付け（発送日：平成３１年１月８日）で、平成３０年１０月１８日付け手続補正が却下されるとともに拒絶査定（以下、「原査定」という。）がなされ、それに対して、平成３１年４月２日に拒絶査定不服審判の請求がなされると同時に手続補正がなされたものである。
　
第２　平成３１年４月２日にされた手続補正についての補正却下の決定
［補正の却下の決定の結論］
　平成３１年４月２日にされた手続補正（以下「本件補正」という。）を却下する。
　
［理由］
　１　本件補正について
　（１）補正の内容
　本件補正により、特許請求の範囲の請求項１〜２のうち、請求項１を補正する内容を含むものであり、本件補正により、平成３０年３月１６日付け手続補正書の特許請求の範囲の請求項１における
「【請求項１】
　遊技球を検知する始動入賞検知手段による球検知を契機として当り判定する当り判定手段と、遊技球が入賞可能な特別入賞口を開閉する開閉手段を有する特別入賞部とを備え、前記当り判定手段が当りと判定した場合には、前記開閉手段が前記特別入賞口を開放する当り遊技を実行するよう構成された遊技機において、
　前記特別入賞口に入賞した遊技球を検知する特別入賞検知手段と、
　画像を表示可能な表示手段とを備え、
　前記始動入賞検知手段が球検知した際に第１エラー条件が満たされる第１エラーが発生した場合に、該第１エラーであることを特定可能な文字画像を少なくとも含む第１エラー表示を前記表示手段において実行すると共に、前記特別入賞検知手段が球検知した際に第２エラー条件が満たされる第２エラーが発生した場合に、該第２エラーであることを特定可能な文字画像を少なくとも含む第２エラー表示を前記表示手段において実行し、前記始動入賞検知手段および特別入賞検知手段から信号を受信できない第３エラーが発生した場合に、該第３エラーであることを特定可能な文字画像を少なくとも含む第３エラー表示を前記表示手段において実行するよう構成され、
　前記表示手段での前記第３エラー表示の実行中において、前記第１エラーまたは前記第２エラーが発生した場合に、実行中の前記第３エラー表示を継続させつつ、発生したエラーに対応する前記第１エラー表示または前記第２エラー表示を、前記表示手段において実行中の前記第３エラー表示と文字画像が重ならない表示位置で開始させ得るよう構成されたことを特徴とする遊技機。」は、
　審判請求時に提出された手続補正書（平成３１年４月２日付け）における
「【請求項１】
　遊技球を検知する始動入賞検知手段による球検知を契機として当り判定する当り判定手段と、遊技球が入賞可能な特別入賞口を開閉する開閉手段を有する特別入賞部とを備え、前記当り判定手段が当りと判定した場合には、
駆動手段の作動により
複数回のラウンド遊技と、前記駆動手段が非作動となるラウンド遊技間インターバル時間とを含む
　前記特別入賞口に入賞した遊技球を検知する特別入賞検知手段と、
　画像を表示可能な表示手段とを備え、
　前記始動入賞検知手段が球検知した際に第１エラー条件が満たされる第１エラーが発生した場合に、該第１エラーであることを特定可能な文字画像を少なくとも含む第１エラー表示を前記表示手段において実行すると共に、
前記ラウンド遊技間インターバル時間を含む前記駆動手段の非作動中に
　前記表示手段での前記第３エラー表示の実行中において、前記第１エラーまたは前記第２エラーが発生した場合に、実行中の前記第３エラー表示を継続させつつ、発生したエラーに対応する前記第１エラー表示または前記第２エラー表示を、前記表示手段において実行中の前記第３エラー表示と文字画像が重ならない表示位置で開始させ得るよう構成されたことを特徴とする遊技機。」に補正された（下線は、補正箇所を明示するために審決にて付した。）。
　
　（２）補正の適否
　本件補正は、補正前の請求項１に記載した発明を特定するために必要な事項である「当り遊技」に関して、「前記当り判定手段が当りと判定した場合には、前記開閉手段が前記特別入賞口を開放する」とあったものを、「前記当り判定手段が当りと判定した場合には、
駆動手段の作動により
複数回のラウンド遊技と、前記駆動手段が非作動となるラウンド遊技間インターバル時間とを含む
　同じく、補正前の請求項１に記載した発明を特定するために必要な事項である「第２エラー条件が満たされる第２エラー」に関して、「前記特別入賞検知手段が球検知した際に」「発生」するとあったものを「
前記ラウンド遊技間インターバル時間を含む前記駆動手段の非作動中に
　そして、本件補正後の請求項１に係る発明は、本件補正前の請求項１に係る発明と、産業上の利用分野及び解決しようとする課題が同一であるから、本件補正のうち特許請求の範囲の請求項１についてする補正は、特許法第１７条の２第５項第２号に規定する「特許請求の範囲の減縮」を目的とする補正に該当する。
　また、本件補正は、願書に最初に添付した明細書の【００２７】、【００５４】、【０１０３】等の記載からみて、新規事項を追加するものではないから、特許法第１７条の２第３項に規定する要件を満たすものである。
　
　３　独立特許要件
　そこで、本件補正後の請求項１に係る発明（以下「本件補正発明」という。）が特許出願の際に独立して特許を受けることができるものであるか否か、すなわち、特許法第１７条の２第６項において準用する同法第１２６条第７項の規定に適合するか否かについて、以下に検討する。
　
　（１）本件補正発明
　本件補正発明は、次のとおりのものであると認める（記号Ａ〜Ｅは、分説するため当審にて付した。）。
「Ａ　遊技球を検知する始動入賞検知手段による球検知を契機として当り判定する当り判定手段と、遊技球が入賞可能な特別入賞口を開閉する開閉手段を有する特別入賞部とを備え、前記当り判定手段が当りと判定した場合には、駆動手段の作動により前記開閉手段が前記特別入賞口を開放する複数回のラウンド遊技と、前記駆動手段が非作動となるラウンド遊技間インターバル時間とを含む当り遊技を実行するよう構成された遊技機において、
　Ｂ　前記特別入賞口に入賞した遊技球を検知する特別入賞検知手段と、
　Ｃ　画像を表示可能な表示手段とを備え、
　Ｄ　前記始動入賞検知手段が球検知した際に第１エラー条件が満たされる第１エラーが発生した場合に、該第１エラーであることを特定可能な文字画像を少なくとも含む第１エラー表示を前記表示手段において実行すると共に、前記ラウンド遊技間インターバル時間を含む前記駆動手段の非作動中に前記特別入賞検知手段が球検知した際に第２エラー条件が満たされる第２エラーが発生した場合に、該第２エラーであることを特定可能な文字画像を少なくとも含む第２エラー表示を前記表示手段において実行し、前記始動入賞検知手段および特別入賞検知手段から信号を受信できない第３エラーが発生した場合に、該第３エラーであることを特定可能な文字画像を少なくとも含む第３エラー表示を前記表示手段において実行するよう構成され、
　Ｅ　前記表示手段での前記第３エラー表示の実行中において、前記第１エラーまたは前記第２エラーが発生した場合に、実行中の前記第３エラー表示を継続させつつ、発生したエラーに対応する前記第１エラー表示または前記第２エラー表示を、前記表示手段において実行中の前記第３エラー表示と文字画像が重ならない表示位置で開始させ得るよう構成されたことを特徴とする遊技機。」
　
　（２）引用文献１
　原査定の拒絶の理由において引用された、本願の出願前に頒布された刊行物である特開２０１４−９０８２０号公報（以下「引用文献１」という。）には、図面と共に以下の事項が記載されている（下線は審決にて付した。以下同じ。）。
　
　　　ア　記載事項
　　　（ア）「【００３８】
　次に、図３を参照して、本実施形態の
パチンコ遊技機
　
　　　（イ）「【００４９】
　
始動入賞装置３８の下方には、第１大入賞装置３９ａが配置されている。第１大入賞装置３９ａには、前倒したとき遊技球が入球可能な開閉扉があり、
【００５０】
　詳細は後述するが、始動入賞装置３８の右側には、第２大入賞装置３９ｂが配置されている。大入賞装置３９ａ、３９ｂは、共に特別図柄の抽選に当選したとき、すなわち大当りしたことにより発生する特別遊技で所定時間開放される入賞装置である。
遊技球が大入賞装置３９ａ
の内部にある大入賞口
に入賞する
　
　　　（ウ）「【００６０】
　主制御基板２４は、その内部に、主制御基板側ＣＰＵ２４１と、ＲＯＭ２４２と、ＲＡＭ２４３を備えている。主制御基板側ＣＰＵ２４１は、いわゆるプロセッサ部であり、大当りを発生させるか否かの抽選処理、決定された変動パターンや停止図柄の情報から制御コマンドを作成し、演出制御基板２５に送信する等の処理を行う。なお、ＣＰＵ２４１は、本発明の「抽選手段」、「特別遊技制御手段」、「遊技状態制御手段」に相当する。
・・・
【００６２】
　
主制御基板２４には、始動入賞口センサ３８ｃ、大入賞口センサ３９ｃ、始動ゲート通過センサ４０ｃ、一般入賞口センサ４２ｃ、特定領域センサ５６ｃ、磁気センサ５０、電波センサ５１、振動センサ５２が接続され、各検知信号を受信可能となっている。
　
　　　（エ）「【００７６】
　上記の構成により
液晶制御基板２６は、
液晶表示装置３６に演出画像や動画を表示している。
　
　　　（オ）「【０１２４】
　次に、図６Ｂを参照して、アタッカと振分部の動作について説明する。
【０１２５】
　まず、
通常ラウンド（第６ラウンド以外）のアタッカ動作を説明する。
第１大入賞装置３９ａ
の開閉扉の動作であり、
【０１２６】
　上述の通り、
通常ラウンドの開閉扉の作動時間は２９．０秒であり、開閉扉の閉鎖後に１．９８秒の残存球排出時間と０．０２秒のラウンドインターバルを経て、次回ラウンドに進む。
　
　　　（カ）「【０１４４】
　次に、図７を参照して、特別ラウンド表示とＶ入賞表示について説明する。
【０１４５】
　図７（ａ）の「特別ラウンド表示（遊技指示演出）」は、特別ラウンド（第６ラウンド）において、遊技球がＶ入賞する前の様子を示している。
液晶表示装置３６の表示領域上部にある表示領域６０では、複数の「右打ち→」の文字が右方向にスクロールしている。
【０１４６】
　
表示領域左上の表示領域６３には、現在の大当りラウンド数が表示される
表示領域右上の表示領域６４、６５には、それぞれ獲得玉数（「００５２０玉」）と連荘回数（「０１回目」）が表示される。
・・・
【０１５３】
　これは、非確変図柄当りでのＶ入賞が不正により発生した可能性があることによる。このとき、図７（ｄ）に示すような「Ｖ入賞表示（警告表示）」を出現させるようにしてもよい。ここでは、
表示領域６７に「Warning!!」の文字が表示された態様となっているが、異常の内容が明確である場合には、「エラー１６」のように具体的に表示してもよい。
　
　　　（キ）「【０１７０】
　次に、図９を参照して、本実施形態のパチンコ遊技機のエラー種類について説明する。パチンコ遊技機１には、以下で説明するもの以外にも多数のエラーが発生し得るが、ここでは説明を省略する。また、以下には、正確にはエラーとはいえないが、警告や報知を行う対象となるものが含まれる。
・・・
【０１７２】
　パチンコ遊技機１では、主制御側のＣＰＵ２４１が
始動入賞時に
不正行為が行われることがある。このため、このような不正行為を防止すべく、電源投入時にＲＡＭクリアスイッチ２７が操作された場合にエラーとして報知することとしている。
・・・
【０１７５】
　次に説明する（２）〜（６）のエラーは、確変移行判定部５４に関するものであり、優先順位の高いエラーとして定義されている。ここで、
優先順位とは、パチンコ遊技機１に複数のエラーが同時に発生した場合に、報知が優先される順位である。
【０１７６】
　（２）大入賞口２排出過多異常（エラー８）
　「ＲＡＭクリア」の次に優先順位が高いエラーとして、「大入賞口２排出過多異常」がある。
大入賞口２排出過多異常とは、アタッカ２の排出数が入賞数より多い場合（排出数＞入賞数）に報知されるエラーである。これは、不正行為により特定領域センサ５６ｃをオンした可能性があるため、エラーとして報知することとしている。
・・・
【０２１４】
　（１５）
入賞異常（エラー１０）
　次に優先順位が高いエラーとして、「入賞異常」がある。
入賞異常とは、例えば、第１大入賞装置３９ａの大入賞口センサ３９ｃにより検知される異常である。
異常として報知する
【０２１５】
　
入賞異常の報知としては、液晶表示装置３６に「入賞口スイッチエラー」等の表示がなされる
　
　　　（ク）「【０２１８】
　（１７）
断線（エラー４）
　次に優先順位が高いエラーとして、「断線」がある。
断線とは、基板同士又は基板と各種センサを接続する配線（ハーネス）が断線したときに検知されるエラーである。例えば、始動入賞口センサ３８ｃの配線が断線している場合、始動入賞信号の送信ができなくなるため、エラーとして報知することとしている。
【０２１９】
　
断線の報知としては、液晶表示装置３６に「断線しています。」等の表示がなされる
　
　　　（ケ）「【０２３６】
　詳細は後述するが、
始動入賞口センサ３８ｃが遊技球を検出すると、始動入賞口センサ３８ｃは、球検出信号を主制御手段に送信し、主制御手段で特別図柄の抽選が行われる。
・・・
【０２３８】
　最後に、ステップＳ６０では、
主制御手段は、特別電動役物管理処理を行う。これは、特別図柄の抽選結果により
大入賞装置３９ａ、
の動作を制御する処理である。
【０２３９】
　詳細は後述するが、特別図柄が当り態様で停止した場合には、いわゆる
大当りとなり、所定ラウンド数の特別遊技が遊技者に付与される。
　
　　　（ケ）「【０２８９】
　次に、図１４を参照して、
遊技管理処理の中で行われる特別電動役物管理処理について説明する。
　
　　　（コ）「【０３０９】
　最後に、
主制御手段は、大入賞口開閉動作設定処理を行う
【０３１０】
　まず、
主制御手段は、大当り種別、ラウンド数、特別図柄役物作動タイマ、ソレノイド動作パターン
に基づいて、ソレノイドのＯＮ／ＯＦＦを設定する
。
アタッカ１
の開閉扉を駆動するソレノイドである。
　
　　　（サ）「【０３２２】
　ステップＳ１５６の判定が「ＹＥＳ」である場合、主制御手段は、入賞数を１加算する（ステップＳ１５７）。すなわち、
大入賞口センサ３９ｃがアタッカ２の入賞数をカウントする処理となる。
　
　　　イ　認定事項
　　　（シ）引用文献１には、【０１４５】に「液晶表示装置３６の表示領域上部にある表示領域６０では、複数の「右打ち→」の文字が右方向にスクロールしている。」と記載され、
　【０１４６】に「表示領域左上の表示領域６３には、現在の大当りラウンド数が表示される・・・表示領域右上の表示領域６４、６５には、それぞれ獲得玉数（「００５２０玉」）と連荘回数（「０１回目」）が表示される。」と記載され、 
　【０１５３】に「表示領域６７に「Warning!!」の文字が表示された態様となっているが、異常の内容が明確である場合には、「エラー１６」のように具体的に表示してもよい。」と記載されている。 
　また、特別ラウンド表示とＶ入賞表示の具体例を示す【図７】（ｄ）に、液晶表示装置３６には、上部にある表示領域６０、左上の表示領域６３、及び、右上の表示領域６４、６５における所定の表示と並行して、表示領域６７に文字による所定の表示を行うことが図示されている。
　【図７】
　
　したがって、引用文献１には、「
液晶制御基板２６によって、上部にある表示領域６０、左上の表示領域６３、右上の表示領域６４、６５における所定の表示と並行して、表示領域６７に文字による異常の内容に関する所定の表示を行う表示器である液晶表示装置３６
　
　　　（ス）引用文献１には、【０１５３】に「表示領域６７に「Warning!!」の文字が表示された態様となっているが、異常の内容が明確である場合には、「エラー１６」のように具体的に表示してもよい。」と記載され、【０２１８】に「断線（エラー４）・・・基板同士又は基板と各種センサを接続する配線（ハーネス）が断線したときに検知されるエラーである。」と記載され、「各種センサ」の例として、「始動入賞口センサ３８ｃ」が例示されている。
　そして、【００６２】の「主制御基板２４には、始動入賞口センサ３８ｃ、大入賞口センサ３９ｃ、始動ゲート通過センサ４０ｃ、一般入賞口センサ４２ｃ、特定領域センサ５６ｃ、磁気センサ５０、電波センサ５１、振動センサ５２が接続され、各検知信号を受信可能となっている。」との記載によると、「主制御基板２４」には、「始動入賞口センサ３８ｃ」以外にも、「大入賞口センサ３９ｃ」が接続されるものである。
　そうすると、引用文献１には、【０２１８】に記載されている「断線」として、「主制御基板２４」と「始動入賞口センサ３８ｃ」との間で発生する断線以外にも、「主制御基板２４」と「大入賞口センサ３９ｃ」との間で発生する断線もあることが示されている。 
　したがって、引用文献１には、「
主制御基板２４と各種センサ、例えば、始動入賞口センサ３８ｃ、大入賞口センサ３９ｃ等を接続する配線（ハーネス）の何れかの断線が検知される断線（エラー４）が発生したときに、「断線しています。」等の表示が液晶表示装置３６の表示領域６７になされる
　
　　　（セ）エラーの種類を説明する図である【図９】には、「入賞異常（エラー１０）の優先順位は「１５」であり、断線（エラー４）の優先順位は「１７」である」ことが示されていると認められる。
　
　　　ウ　引用発明
　上記アの記載事項、上記イの認定事項、及び、図面の図示内容を総合すると、引用文献１には次の発明（以下「引用発明」という。）が記載されていると認められる（ａ〜ｅは、本件補正発明のＡ〜Ｅに対応させて付与した。）。
「ａ　始動入賞口センサ３８ｃ、大入賞口センサ３９ｃ、が接続され、各検知信号を受信可能となっている主制御基板２４（【００６２】）を備え、
　主制御手段は、始動入賞口センサ３８ｃが遊技球を検出すると、特別図柄の抽選を行い（【０２３６】）、
　始動入賞装置３８の下方に配置され、前倒したとき遊技球が入球可能な開閉扉を有し、内部に大入賞口を有する第１大入賞装置３９ａ（【００４９】〜【００５０】）を備え、
　主制御手段は、遊技管理処理の中で行われる特別電動役物管理処理において、特別図柄の抽選結果が大当りとなった場合、大当り種別、ラウンド数、特別図柄役物作動タイマ、ソレノイド動作パターンに基づいて設定されるソレノイドのＯＮ／ＯＦＦにより、第１大入賞装置３９ａの開閉扉の動作を制御して、開閉扉の作動時間が２９．０秒であり、開閉扉の閉鎖後に１．９８秒の残存球排出時間と０．０２秒のラウンドインターバルを経て、次回ラウンドに進む通常ラウンド（第６ラウンド以外）を含む所定ラウンド数の特別遊技を行う（【００４９】、【０１２５】〜【０１２６】、【０２３８】、【０２３９】、【０２８９】、【０３１０】）
　パチンコ遊技機（【００３８】）において、
　
　ｂ　大入賞口センサ３９ｃは、第１大入賞装置３９ａの入賞数をカウントし（【０２１４】、【０３２２】）、
　
　ｃ　液晶制御基板２６によって、上部にある表示領域６０、左上の表示領域６３、右上の表示領域６４、６５における所定の表示と並行して、表示領域６７に文字による異常の内容に関する所定の表示を行う表示器である液晶表示装置３６（認定事項（シ））と、
　
　ｄ　例えば、第１大入賞装置３９ａの大入賞口センサ３９ｃにより検知される異常である入賞異常（エラー１０）が発生すると、「入賞口スイッチエラー」等の表示が液晶表示装置３６の表示領域６７になされ（【０２１４】〜【０２１５】）、
　主制御基板２４と各種センサ、例えば、始動入賞口センサ３８ｃ、大入賞口センサ３９ｃ等を接続する配線（ハーネス）の何れかの断線が検知される断線（エラー４）が発生したときに、「断線しています。」等の表示が液晶表示装置３６の表示領域６７になされ（認定事項（ス））、
　
　ｅ　複数のエラーが同時に発生した場合に優先順位にしたがって報知されるエラーの種類が決定され、断線（エラー４）は優先順位が１７であり、入賞異常（エラー１０）は優先順位が１５であるパチンコ遊技機（【０１７０】、【０１７５】、認定事項（セ））。」
　
　（３）引用文献２
　本願の出願前に頒布された刊行物である特開２０１３−２２２２０号公報（以下「引用文献２」という。）には、図面と共に以下の事項が記載されている（下線は審決にて付した。以下同じ。）。
　
　　　ア　記載事項
　　　（ア）「【発明を実施するための最良の形態】
【００１４】
　以下、図面を参照しながら、本発明に係る遊技機の好ましい実施形態について詳細に説明する。なお、以下に述べる実施形態では、本発明に係る弾球遊技機として、
パチンコ遊技機
　
　　　（イ）「【００６４】
　この
「大当り」となった場合には、特別変動入賞装置５２の大入賞口ソレノイド５２ｃ（図３参照）が作動して開放扉５２ｂが開放動作を行い、これにより大入賞口５０が所定のパターンで開閉制御されて、通常遊技状態よりも遊技者に有利な特別遊技状態（大当り遊技）が発生する。
　
　　　（ウ）「【００９１】
　（４−２．当り遊技）
　次に、上記した各当りによる当り遊技について説明する。
【００９２】
　（４−２−１．１５Ｒ長開放確変大当りによる当り遊技）
　１５Ｒ長開放確変大当りによる当り遊技（以下、「１５Ｒ確変大当り遊技」と称する）は、規定ラウンド数を１５ラウンドとする大当りであり、本実施形態では、１回のラウンド遊技における大入賞口５０の最大開放時間が「長開放時間」の‘２９．８秒’に設定される。ここで「長開放時間」とは、その時間内に大入賞口への入賞数が上記最大入賞数（たとえば、９個）に達する可能性がある（最大入賞数に達する可能性が十分ある）時間幅として定めたものである。
【００９３】
　ラウンド遊技が開始されて大入賞口５０が開放された後、上記の最大開放時間が経過した場合は大入賞口５０が閉鎖されて今回のラウンド遊技が終了し、規定ラウンド数の１５ラウンドに達していなければ、所定時間（ラウンド間インターバル時間）が経過した後、次のラウンド遊技に移行される。ただし、最大開放時間経過前であっても大入賞口５０に入賞した遊技球数（入賞球数）が最大入賞数（たとえば、９個）に達した場合は、大入賞口５０が閉鎖されて今回のラウンド遊技が終了し、所定時間（ラウンド間インターバル時間）が経過した後、次のラウンド遊技に移行される。つまり、大入賞口の最大開放時間が経過した場合か、または大入賞口に入賞した遊技球数が最大入賞数に達した場合かのいずれか一方の条件を満たすと、開放された大入賞口が閉鎖され、所定のインターバル時間を挟んで、次のラウンド遊技に移行されるようになっている（後述の１０Ｒ長開放確変大当りによる当り遊技、２Ｒ短開放潜確大当りによる当り遊技についても同様）。なお、
ラウンド遊技間における上記「ラウンド間インターバル時間」は、「残存球排出時間」と、この残存球排出時間が経過してから次のラウンド遊技が開始されるまでの「開放前インターバル時間」とからなる。
　
　　　（エ）「【０１５６】
　＜７．
主制御側タイマ割込処理
　次に図８を参照して、主制御側のタイマ割込処理について説明する。図８は、主制御側タイマ割込処理を示すフローチャートである。この主制御側タイマ割込処理は、ＣＴＣからの一定時間（４ｍｓ程度）ごとの割込みで起動され、主制御側メイン処理実行中に割り込んで実行される。以下では説明の便宜上、
ＣＰＵ２０１
・・・
【０１５９】
　次いで、入力管理処理を行う（ステップＳ５３）。この入力管理処理では、パチンコ遊技機１に設けられた各種センサによる検出情報を入賞カウンタに格納する。ここでの各種センサによる検出情報とは、たとえば、上始動口センサ３４ａ、下始動口センサ３５ａ、普通図柄始動口センサ３７ａ、大入賞口センサ５２ａ、一般入賞口センサ４３ａなどの入賞検出スイッチから出力されるスイッチ信号のＯＮ／ＯＦＦ情報（入賞検出情報）である。これにより、各入賞口において入賞を検出（入賞が発生）したか否かが割込みごとに監視される。また上記「入賞カウンタ」とは、各々の入賞口ごとに対応して設けられ、入賞した遊技球数（入賞球数）を計数するカウンタである。本実施形態では、ＲＡＭ２０３の所定領域に、上始動口３４用の上始動口入賞カウンタ、下始動口３５用の下始動口入賞カウンタ、普通図柄始動口３７用の普通図柄始動口入賞カウンタ、大入賞口５０大入賞口５０用の大入賞口入賞カウンタ、一般入賞口４３用の一般入賞口用の入賞カウンタなどが設けられている。またこの入力管理処理では、入賞検出スイッチからの検出情報が入賞を許容すべき期間中に入賞したか否かに基づいて、
不正入賞があったか否かも監視される。
可動翼片４７が作動中でないにもかかわらず下始動口センサ３５ａが遊技球を検出した
大当り遊技中でないにもかかわらず大入賞口センサ５２ａが遊技球を検出した
場合は、
所定のエラー処理が行われるようになっている。
・・・
【０１６１】
  次いで、
遊技動作状態の異常の有無を監視するエラー管理処理を行う
エラー処理としては、
演出手段によりエラーが発生した旨を報知させたりする。
　
　　　（オ）「【０４４５】
　上記「特別電動役物作動フラグ」とは、特別変動入賞装置５０が作動中か否かを確認するために利用されるフラグで、当該フラグがＯＮ状態（＝５ＡＨ）である場合には、特別変動入賞装置５０が作動中である旨を示し、当該フラグがＯＦＦ状態（＝００Ｈ）である場合には、特別変動入賞装置５０が未作動中である旨を示す。なおラウンド遊技間において特別電動役物作動フラグがＯＮ状態（＝５ＡＨ）となる期間、つまり特別変動入賞装置が作動中とされる期間は、大入賞口が開放してからその大入賞口が閉鎖された後、残存球排出時間（第１の所定時間：１９８０ｍｓ）が経過するまでの期間となっている。他方、ラウンド遊技間において特別電動役物作動フラグがＯＦＦ状態（＝００Ｈ）となる期間、つまり特別変動入賞装置が未作動中とされる期間は、上述の残存球排出時間（１９８０ｍｓ）が経過してから次のラウンド遊技が開始されるまでの
インターバル時間（第２の所定時間：２０ｍｓ）中の期間
に大入賞口に入賞が発生した場合は、不正入賞とみなし、
所定のエラー処理（不正入賞検出エラー処理）が実行される
　
　　　イ　引用文献２に記載された技術事項
　上記アの記載事項を総合すると、引用文献２には、次の技術（以下「引用文献２に記載された技術事項」という）が記載されていると認められる（ａ、ｄは、本件補正発明のＡ、Ｄに対応させて付与した。）。
「ａ’「大当り」となった場合には、特別変動入賞装置５２の大入賞口ソレノイド５２ｃが作動して開放扉５２ｂが開放動作を行い、これにより大入賞口５０が所定のパターンで開閉制御されて、通常遊技状態よりも遊技者に有利な特別遊技状態（大当り遊技）が発生するパチンコ遊技機（【００１４】、【００６４】）において、
　ｄ’ＣＰＵ２０１は、タイマ割込処理において、大当り遊技中でないにもかかわらず大入賞口センサ５２ａが遊技球を検出した場合や、「ラウンド間インターバル時間」から、「残存球排出時間」を除いた「開放前インターバル時間」（第２の所定時間：２０ｍｓ）に大入賞口に入賞が発生した場合は、不正入賞とみなし、所定のエラー処理を実行するパチンコ遊技機（【００９３】、【０１５６】、【０１５９】、【０４４５】）。」
　
　（４）対比
　本件補正発明と引用発明とを、分説に従い対比する。
　　（ａ）引用発明における「始動入賞口センサ３８ｃが遊技球を検出すると、特別図柄の抽選を行」う「主制御手段」は、本件補正発明における「遊技球を検知する始動入賞検知手段による球検知を契機として当り判定する当り判定手段」としての機能を有する。
　
　そして、引用発明における「大入賞口」は、本件補正発明における「遊技球が入賞可能な特別入賞口」に相当し、引用発明における「前倒したとき遊技球が入球可能な開閉扉」は、「大入賞装置３９ａ」が「内部に大入賞口を有する」ことから、本件補正発明における「特別入賞口を開閉する開閉手段」に相当する。
　そうすると、引用発明における「始動入賞装置３８の下方に配置され、前倒したとき遊技球が入球可能な開閉扉を有し、内部に大入賞口を有する大入賞装置３９ａ」は、本件補正発明における「遊技球が入賞可能な特別入賞口を開閉する開閉手段を有する特別入賞部」に相当する。
　
　また、引用発明における「特別図柄の抽選結果が大当りとなった場合」、「第１大入賞装置３９ａの開閉扉の動作」が「大当り種別、ラウンド数、特別図柄役物作動タイマ、ソレノイド動作パターンに基づいて設定されるソレノイドのＯＮ／ＯＦＦによ」ることは、それぞれ、本件補正発明における「当り判定手段が当りと判定した場合」、「特別入賞口」の「開放」が「駆動手段の作動によ」ることに相当する。
　そうすると、引用発明における「主制御手段は」「大当り種別、ラウンド数、特別図柄役物作動タイマ、ソレノイド動作パターンに基づいて設定されるソレノイドのＯＮ／ＯＦＦにより、第１大入賞装置３９ａの動作を制御し、開閉扉の作動時間が２９．０秒であ」る「通常ラウンド（第６ラウンド以外）を含む所定ラウンド数の特別遊技を行う」ことは、「主制御手段」が、「内部に大入賞口を有する第１大入賞装置３９ａ」によって、「第６ラウンド以外」の複数の「通常ラウンド」を含む「特別遊技を行う」ことであるから、本件補正発明における「駆動手段の作動により開閉手段が特別入賞口を開放する複数回のラウンド遊技」「を含む当り遊技を実行する」ことに相当し、同様に、引用発明における「大当り種別、ラウンド数、特別図柄役物作動タイマ、ソレノイド動作パターンに基づいて設定されるソレノイドのＯＮ／ＯＦＦにより」、「開閉扉の閉鎖後に１．９８秒の残存球排出時間と０．０２秒のラウンドインターバルを経て、次回ラウンドに進む通常ラウンドを含む所定ラウンド数の特別遊技を行う」ことは、本件補正発明における「駆動手段が非作動となるラウンド遊技間インターバル時間」「を含む当り遊技を実行する」ことに相当する。
　ゆえに、引用発明における「主制御手段は、遊技管理処理の中で行われる特別電動役物管理処理において、特別図柄の抽選結果が大当りとなった場合、大当り種別、ラウンド数、特別図柄役物作動タイマ、ソレノイド動作パターンに基づいて設定されるソレノイドのＯＮ／ＯＦＦにより、第１大入賞装置３９ａの開閉扉の動作を制御して、開閉扉の作動時間が２９．０秒であり、開閉扉の閉鎖後に１．９８秒の残存球排出時間と０．０２秒のラウンドインターバルを経て、次回ラウンドに進む通常ラウンド（第６ラウンド以外）を含む所定ラウンド数の特別遊技を行」うことは、本件補正発明における「当り判定手段が当りと判定した場合には、駆動手段の作動により開閉手段が特別入賞口を開放する複数回のラウンド遊技と、駆動手段が非作動となるラウンド遊技間インターバル時間とを含む当り遊技を実行する」ことに相当する。
　
　よって、引用発明における構成ａの「パチンコ遊技機」は、本件補正発明における構成Ａの「遊技機」に相当する。
　
　　（ｂ）引用発明における「第１大入賞装置３９ａ」は、構成ａによると、「内部に大入賞口を有する」ものであることから、引用発明における「第１大入賞装置３９ａの入賞数をカウント」する「大入賞口センサ３９ｃ」は、大入賞口に入賞した遊技球を検出するものであるから、本件補正発明における「特別入賞口に入賞した遊技球を検知する特別入賞検知手段」に相当する。
　したがって、引用発明における構成ｂは、本件補正発明における構成Ｂに相当する。
　
　　（ｃ）引用発明における「演出画像や動画」は、本件補正発明における「画像」に相当することから、引用発明における「上部にある表示領域６０、左上の表示領域６３、右上の表示領域６４、６５における所定の表示と並行して、表示領域６７に文字による異常の内容に関する所定の表示を行う表示器である液晶表示装置３６」は、本件補正発明における「画像を表示可能な表示手段」に相当する。
　したがって、引用発明における構成ｃは、本件補正発明における構成Ｃに相当する。
　
　　（ｄ）引用発明における「例えば、第１大入賞装置３９ａの大入賞口センサ３９ｃにより検知される異常である入賞異常（エラー１０）が発生する」ことは、「大入賞口センサ３９ｃ」の出力信号が所定の条件を満たすことにより「入賞異常」が発生したと判定されることである。
　そうすると、引用発明における「例えば、第１大入賞装置３９ａの大入賞口センサ３９ｃにより検知される異常である入賞異常（エラー１０）が発生すると」と、本件補正発明における「始動入賞検知手段が球検知した際に第１エラー条件が満たされる第１エラーが発生した場合に」、及び、「ラウンド遊技間インターバル時間を含む駆動手段の非作動中に特別入賞検知手段が球検知した際に第２エラー条件が満たされる第２エラーが発生した場合に」とは、「入賞検知手段が球検知した際にエラー条件が満たされる入賞エラーが発生した場合に」で共通する。
　また、引用発明における「「入賞口スイッチエラー」等の表示」と、本件補正発明における「第１エラーであることを特定可能な文字画像を少なくとも含む第１エラー表示」及び「該第２エラーであることを特定可能な文字画像を少なくとも含む第２エラー表示」とは、「エラーであることを特定可能な文字画像を少なくとも含むエラー表示」である点で共通する。
　したがって、引用発明における「例えば、第１大入賞装置３９ａの大入賞口センサ３９ｃにより検知される異常である入賞異常（エラー１０）が発生すると、「入賞口スイッチエラー」等の表示が液晶表示装置３６の表示領域６７になされ」ることと、本件補正発明における「始動入賞検知手段が球検知した際に第１エラー条件が満たされる第１エラーが発生した場合に、該第１エラーであることを特定可能な文字画像を少なくとも含む第１エラー表示を表示手段において実行すると共に、ラウンド遊技間インターバル時間を含む駆動手段の非作動中に特別入賞検知手段が球検知した際に第２エラー条件が満たされる第２エラーが発生した場合に、該第２エラーであることを特定可能な文字画像を少なくとも含む第２エラー表示を前記表示手段において実行」することとは、「入賞口スイッチエラー」等の表示が液晶表示装置３６の表示領域６７になされ」ることと、本件補正発明における「入賞検知手段が球検知した際にエラー条件が満たされる入賞エラーが発生した場合に、該エラーであることを特定可能な文字画像を少なくとも含むエラー表示を表示手段において実行する」ことで共通する。
　
　そして、引用発明における「主制御基板２４と各種センサ、例えば、始動入賞口センサ３８ｃ、大入賞口センサ３９ｃ等を接続する配線（ハーネス）の何れかの断線が検知される断線（エラー４）が発生したとき」は、本件補正発明における「始動入賞検知手段および特別入賞検知手段から信号を受信できない第３エラーが発生した場合」に相当し、引用発明における「「断線しています。」等の表示が液晶表示装置３６の表示領域６７になされ」ることは、本件補正発明における「第３エラーであることを特定可能な文字画像を少なくとも含む第３エラー表示を表示手段において実行する」「よう構成され」ることに相当する。
　したがって、引用発明における「主制御基板２４と各種センサ、例えば、始動入賞口センサ３８ｃ、大入賞口センサ３９ｃ等を接続する配線（ハーネス）の何れかの断線が検知される断線（エラー４）が発生したときに、「断線しています。」等の表示が液晶表示装置３６の表示領域６７になされ」ることは、本件補正発明における「始動入賞検知手段および特別入賞検知手段から信号を受信できない第３エラーが発生した場合に、該第３エラーであることを特定可能な文字画像を少なくとも含む第３エラー表示を前記表示手段において実行するよう構成され」ることに相当する。
　
　よって、引用発明における構成ｄと本件補正発明における構成Ｄとは、「入賞検知手段が球検知した際にエラー条件が満たされる入賞エラーが発生した場合に、入賞エラーであることを特定可能な文字画像を少なくとも含むエラー表示を表示手段において実行すると共に、始動入賞検知手段および特別入賞検知手段から信号を受信できない第３エラーが発生した場合に、該第３エラーであることを特定可能な文字画像を少なくとも含む第３エラー表示を表示手段において実行するよう構成され」ることで共通する。
　
　　（ｅ）引用発明における「複数のエラーが同時に発生した場合に優先順位にしたがって報知されるエラーの種類が決定され、断線（エラー４）は優先順位が１７であり、入賞異常（エラー１０）は優先順位が１５である」ことは、「断線（エラー４）」の発生中に「入賞異常（エラー１０）」が「同時に発生した場合」、「断線（エラー４）」の報知に替えて、「断線（エラー４）」よりも「報知」の「優先順位」の高い「入賞異常（エラー１０）」の報知がなされることである。
　そうすると、引用発明の「複数のエラーが同時に発生した場合に優先順位にしたがって報知されるエラーの種類が決定され、断線（エラー４）は優先順位が１７であり、入賞異常（エラー１０）は優先順位が１５である」ことと、本件補正発明における「表示手段での第３エラー表示の実行中において、第１エラーまたは第２エラーが発生した場合に、実行中の第３エラー表示を継続させつつ、発生したエラーに対応する第１エラー表示または第２エラー表示を、表示手段において実行中の第３エラー表示と文字画像が重ならない表示位置で開始させ得るよう構成された」こととは、上記（ｄ）の検討内容を考慮すると、「表示手段での第３エラー表示の実行中において、入賞検知手段が球検知した際にエラー条件が満たされるエラーが発生した場合に、いずれのエラーであることを特定可能な文字画像を少なくとも含むエラー表示を表示手段において実行する」ことで共通する。
　
　上記（ａ）〜（ｅ）により両者の一致点及び相違点は、次のとおりである。
［一致点］
「Ａ　遊技球を検知する始動入賞検知手段による球検知を契機として当り判定する当り判定手段と、遊技球が入賞可能な特別入賞口を開閉する開閉手段を有する特別入賞部とを備え、前記当り判定手段が当りと判定した場合には、駆動手段の作動により前記開閉手段が前記特別入賞口を開放する複数回のラウンド遊技と、前記駆動手段が非作動となるラウンド遊技間インターバル時間とを含む当り遊技を実行するよう構成された遊技機において、
　Ｂ　前記特別入賞口に入賞した遊技球を検知する特別入賞検知手段と、
　Ｃ　画像を表示可能な表示手段とを備え、
　Ｄ’入賞検知手段が球検知した際にエラー条件が満たされる入賞エラーが発生した場合に、該入賞エラーであることを特定可能な文字画像を少なくとも含むエラー表示を前記表示手段において実行すると共に、前記始動入賞検知手段および前記特別入賞検知手段から信号を受信できない第３エラーが発生した場合に、該第３エラーであることを特定可能な文字画像を少なくとも含む第３エラー表示を前記表示手段において実行するよう構成され、
　Ｅ’前記表示手段での前記第３エラー表示の実行中において、前記入賞エラーが発生した場合に、何れのエラーであることを特定可能な文字画像を少なくとも含むエラー表示を実行することを特徴とする遊技機。」
　
［相違点１］（構成Ｄ）
　その発生に伴い、発生したことを特定可能な文字画像を含むエラー表示を表示手段において実行される、入賞エラーに関して、
　本件補正発明は、「始動入賞検知手段が球検知した際に第１エラー条件が満たされる第１エラー」と「ラウンド遊技間インターバル時間を含む駆動手段の非作動中に特別入賞検知手段が球検知した際に第２エラー条件が満たされる第２エラー」とを設け、「第１エラーが発生した場合に、該第１エラーであることを特定可能な文字画像を少なくとも含む第１エラー表示」と「第２エラーが発生した場合に、該第２エラーであることを特定可能な文字画像を少なくとも含む第２エラー表示」とを表示手段において実行するのに対して、
　引用発明は、入賞異常（エラー１０）が、本件補正発明のような第１エラー及び第２エラーを含み、それぞれのエラーに対応するエラー表示がなされるか否か不明な点。
　
［相違点２］（構成Ｅ）
　本件補正発明は、表示手段での第３エラー表示の実行中において、第１エラーまたは第２エラーが発生した場合に、実行中の第３エラー表示を継続させつつ、発生したエラーに対応する第１エラー表示または第２エラー表示を、表示手段において実行中の第３エラー表示と文字画像が重ならない表示位置で開始させ得るよう構成されているのに対して、引用発明は、液晶表示装置３６の表示領域６７に表示されるエラーの種類について、複数のエラーが同時に発生した場合に優先順位にしたがって報知されるエラーの種類が決定される点。
　
　（５）当審判合議体における判断
　　　ア　相違点１について
　上記相違点１について検討する。
　引用発明は、何れのエラー（入賞異常、断線）が発生した場合、何れのエラーが発生したのかを特定可能な文字画像（「入賞口スイッチエラー」、「断線しています。」）を液晶表示装置３６に表示することにより報知するものである（構成ｄ）。
　そして、引用発明は、構成ｄにより、「入賞異常（エラー１０）」としての「第１大入賞装置３９ａの大入賞口」に係る異常の発生を検知可能なものである。
　
　ところで、遊技機の技術分野において、始動入賞口に係る異常の発生を検出するために、始動入賞検知手段が球検知した際にエラー条件が満たされるエラーが発生したことを検出すること、及び、検出したエラーについてその発生を報知することは、本願の出願前に周知の技術事項である（例えば、上記引用文献２には、遊技動作状態の異常の有無を監視するエラー管理処理において、遊技動作状態の異常として、基板間に断線が生じたか否かを監視したり、不正入賞があったか否かを監視したりするものにおいて、可動翼片４７が作動中でないにもかかわらず下始動口センサ３５ａが遊技球を検出した場合は、エラー処理として、演出手段によりエラーが発生した旨を報知すること（【０１５９】、【０１６１】）が記載され、
　原査定の拒絶の理由において引用された特開２０１３−２４８０３１号公報には、可変入賞球装置１５が開状態でないときに始動入賞口１４への遊技球の入賞を検出した場合に異常入賞が発生したと判定され、異常入賞が発生したと判定された場合には、第１態様の異常報知を実行（異常入賞１報知ではランプのみを用いた報知を行い、異常入賞２報知ではランプおよび音を用いた報知を行う）することにより、異常入賞が生じたことを報知すること（【０１２３】、【０４２５】）が記載され、
　同じく、原査定の拒絶の理由において引用された特開２０１６−３０２１１号公報には、ぱちんこ機１００が報知するエラーとして、普通電動役物が未作動のときに遊技球が所定数検知された場合に発生するエラーとしての始動口エラーについて（【０３３５】〜【０３３６】）記載されている。以下「周知の技術事項１」という。）。
　
　一方、引用文献２に記載された技術事項における「大当り遊技中でないにもかかわらず大入賞口センサ５２ａが遊技球を検出した場合や、「ラウンド間インターバル時間」から、「残存球排出時間」を除いた「開放前インターバル時間」（第２の所定時間：２０ｍｓ）に大入賞口に入賞が発生した場合は、不正入賞とみな」すことは、本件補正発明における「ラウンド遊技間インターバル時間を含む駆動手段の非作動中に特別入賞検知手段が球検知した際に第２エラー条件が満たされる第２エラーが発生した場合」に相当する。
　そうすると、引用文献２に記載された技術事項の構成ｄ’と本件補正発明の構成Ｄとは、ラウンド遊技間インターバル時間を含む駆動手段の非作動中に特別入賞検知手段が球検知した際に第２エラー条件が満たされる第２エラーが発生した場合のエラー処理に関する技術である点で共通する。
　ここで、引用文献２に記載された技術事項は、【０１６１】に「・・・これらの動作異常（エラー）が発生した場合には、・・・」と記載されているように、動作異常として、大入賞口に係る異常の発生を検出するという課題を解決するものである。
　
　これらのことからみて、引用発明と、上記周知の技術事項１及び引用文献２に記載された技術事項とは、入賞異常の発生を報知する技術で共通するものであるとともに、入賞異常の発生を検出するという共通の課題を解決するものである。
　よって、引用発明の「入賞異常（エラー１０）」の検出に上記周知の技術事項１及び引用文献２に記載された技術事項を適用して、「入賞異常（エラー１０）」の検出として、始動入賞口センサ３８ｃが球検知した際に第１エラー条件が満たされる始動入賞異常と、「開放前インターバル時間」を含むソレノイドの非作動中に大入賞口センサ３９ｃが球検知した際に第２エラー条件が満たされる大入賞口異常の検出を可能とすると共に、異常の種類に対応するエラー表示を行うようにし、上記相違点１に係る本件補正発明の構成とすることは、当業者が容易になし得たものである。
　
　　　イ　相違点２について
　引用発明は、液晶表示装置３６の表示領域６７にエラー表示を行うことに並行して、複数の表示領域（６０、６３〜６５）に所定の表示を行う（構成ｄ、ｅ）ことを可能とするものである。
　そして、遊技機の技術分野において、複数のエラーが同時に発生する場合に、個々の異常の発生を識別可能に視認させるため、表示手段におけるエラー表示の実行中に、種類の異なるエラーが新たに発生した場合、発生している全てのエラーの種類を報知できるように、エラー表示を継続させつつ、新たに発生したエラーに対応するエラー表示を、表示手段において実行中のエラー表示と文字画像が重ならない表示位置で同時に表示させることは、本願の出願前に周知の技術事項である（例えば、特開２０１５−１３９５９１号公報には、複数種類の異常が同時期に発生した場合であっても、当該複数種類の異常を識別可能に視認させやすくするために、異常１が発生し、異常報知画像（「異常１発生」）を異常表示領域に表示しているときに、異常２が発生すると、画像表示装置５を用いて、「異常２発生」を、「異常１発生」の表示と文字画像が重ならない異常表示領域に同時に表示すること（【０２２５】〜【０２２９】、【図２３】）が示され、
　上記特開２０１６−３０２１１号公報には、装飾図柄表示装置２０８において、先に送信された磁界検知エラーコマンドに基づき磁界検知エラーを報知しているときに、磁気検知エラーコマンドが送信されると、磁界検知エラーと磁気検知エラーの両方の報知を、装飾図柄表示装置２０８を用いて、それぞれの文字画像が重ならない表示位置に合わせて表示することにより行うこと（【０３９１】〜【０３９３】、【図３７】）が示され、
　特開２０１０−１７９１４２号公報には、「エラーメッセージは、エラーコマンドごとに、それぞれ図柄表示部１０４における異なる位置に表示される。これによって、複数のエラーが同時に発生した場合にも、発生したエラーの内容を図柄表示部１０４を介して報知することができる。」（【００７４】）ことが記載されている。以下「周知の技術事項２」という。）。
　そうすると、引用発明と上記周知の技術事項２とは、複数のエラーが同時に発生し得る遊技機である点で共通する。
　また、引用発明は、構成ｅより、複数のエラーが同時に発生した場合、発生中の全てのエラーの種類を識別可能に報知する必要があるという自明の課題を内在するものである。
　したがって、引用発明と上記周知の技術事項２とは、複数のエラーが同時に発生した場合、発生中の全てのエラーの種類を識別可能に報知するという共通の課題を解決するものである。
　よって、引用発明における「入賞異常（エラー１０）」と「断線（エラー４）」といった複数のエラーが同時に発生している場合のエラー報知に際し、優先順位にしたがって報知されるエラーの種類が決定されることに替えて、上記周知の技術事項２を適用して、発生中のエラーを個々に視認可能とするために、表示領域６７を複数設け、表示領域６７でのエラーの報知中に、別の種類のエラーが発生した場合に、実行中のエラーの報知を継続させつつ、発生したエラーに対応する報知を、エラー報知が実行されている表示領域６７と文字画像が重ならない表示領域６７で開始させるよう構成し、上記相違点２に係る本件補正発明の構成とすることは当業者が容易になし得たものである。
　
　　　ウ　請求人の審判請求書における主張について
　請求人は、平成３１年４月２日付け審判請求書において、本件補正発明は、引用文献に対して以下の有利な作用効果を奏する旨主張する。
　　　（ア）「当り遊技中は、複数回のラウンド遊技によって特別入賞口への多数の入賞が発生するため、ラウンド遊技間インターバル時間に特別入賞口への不正入賞が発生しても、その不正入賞に応じた賞球数の増加等では、遊技店側が不正行為の存在を確定的に把握することができない。これに対し、当り遊技におけるラウンド遊技間インターバル時間にも、特別入賞検知手段の球検知によって第２エラー条件が満たされるようにすることで、ラウンド遊技間インターバル時間を狙って特別入賞口への不正入賞を発生させる不正行為を第２エラーとして把握することができる。」（〔３〕 本願発明の説明欄の (Ａ) を参照。） 
　
　そこで、請求人の上記主張について検討する。
　上記アにおいて検討したように、引用文献２に記載された技術事項における構成ｄ’の「大当り遊技中でないにもかかわらず大入賞口センサ５２ａが遊技球を検出した場合や、「ラウンド間インターバル時間」から、「残存球排出時間」を除いた「開放前インターバル時間」（第２の所定時間：２０ｍｓ）に大入賞口に入賞が発生した場合は、不正入賞とみな」すことは、本件補正発明における「ラウンド遊技間インターバル時間を含む駆動手段の非作動中に特別入賞検知手段が球検知した際に第２エラー条件が満たされる第２エラーが発生した場合」に相当する。
　そして、引用文献２に記載された技術事項は、当該構成ｄ’を備えることにより、請求人の主張する本件補正発明により奏される上記効果「当り遊技におけるラウンド遊技間インターバル時間にも、特別入賞検知手段の球検知によって第２エラー条件が満たされるようにすることで、ラウンド遊技間インターバル時間を狙って特別入賞口への不正入賞を発生させる不正行為を第２エラーとして把握することができる。」と同様の効果を奏することは、当業者が予期し得る範囲のものである。
　
　よって、請求人の上記主張を採用することはできない。
　
　（６）小括
　本件補正発明により奏される効果は、当業者が、引用発明、引用文献２に記載された技術事項、及び、上記周知の技術事項１〜２から予測し得る効果の範囲内のものであって、格別なものではない。
　よって、本件補正発明は、引用発明、引用文献２に記載された技術事項、及び、上記周知の技術事項１〜２に基いて当業者が容易に発明をすることができたものであるから、特許法第２９条第２項の規定により、特許出願の際に独立して特許を受けることができないものである。
　
　４　まとめ
　上記１〜３より、本件補正発明は、特許法第２９条第２項の規定により、特許出願の際に独立して特許を受けることができないものであるから、本件補正は、同法第１７条の２第６項において準用する同法第１２６条第７項に規定する要件を満たさないものであり、同法第１５９条第１項において読み替えて準用する同法第５３条第１項の規定により却下すべきものである。
　
第３　本願発明について
　１　本願発明
　本件補正は、上記のとおり却下されることとなったので、本願の請求項１に係る発明は、平成３０年３月１６日付け手続補正書における特許請求の範囲の請求項１に記載されたとおりのものであるところ、その請求項１に係る発明（以下「本願発明」という。記号Ａ１〜Ｅは、分説するため当審で付した。）は、次のとおりのものと認める。
「Ａ１　遊技球を検知する始動入賞検知手段による球検知を契機として当り判定する当り判定手段と、遊技球が入賞可能な特別入賞口を開閉する開閉手段を有する特別入賞部とを備え、前記当り判定手段が当りと判定した場合には、前記開閉手段が前記特別入賞口を開放する当り遊技を実行するよう構成された遊技機において、
　Ｂ　前記特別入賞口に入賞した遊技球を検知する特別入賞検知手段と、
　Ｃ　画像を表示可能な表示手段とを備え、
　Ｄ１　前記始動入賞検知手段が球検知した際に第１エラー条件が満たされる第１エラーが発生した場合に、該第１エラーであることを特定可能な文字画像を少なくとも含む第１エラー表示を前記表示手段において実行すると共に、前記特別入賞検知手段が球検知した際に第２エラー条件が満たされる第２エラーが発生した場合に、該第２エラーであることを特定可能な文字画像を少なくとも含む第２エラー表示を前記表示手段において実行し、前記始動入賞検知手段および特別入賞検知手段から信号を受信できない第３エラーが発生した場合に、該第３エラーであることを特定可能な文字画像を少なくとも含む第３エラー表示を前記表示手段において実行するよう構成され、
　Ｅ　前記表示手段での前記第３エラー表示の実行中において、前記第１エラーまたは前記第２エラーが発生した場合に、実行中の前記第３エラー表示を継続させつつ、発生したエラーに対応する前記第１エラー表示または前記第２エラー表示を、前記表示手段において実行中の前記第３エラー表示と文字画像が重ならない表示位置で開始させ得るよう構成されたことを特徴とする遊技機。」
　
　２　原査定の拒絶の理由の概要
（１）（進歩性）この出願の請求項１に係る発明は、その出願前に日本国内において、頒布された下記の引用文献に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
　
　　　　　　　　　　　　　　＜引用文献等一覧＞
　　１.特開２０１４−９０８２０号公報
　　２.特開２０１０−１０１８４２号公報
　　３.特開２０１６−３０２１１号公報（新たに引用された文献）
　　４.特開２０１３−２４８０３１号公報
　
　３　引用文献に記載された事項
　原査定の拒絶の理由に引用された引用文献１（前記「第２　３（２）」における「引用文献１」に対応する。）の記載事項及び引用発明の認定については、前記「第２　３（２）引用文献１」に記載したとおりである。
　
　４　対比
　本願発明は、前記「第２　３（１）」で検討した本件補正発明の構成Ａの「当り遊技」に関して、「
駆動手段の作動により
複数回のラウンド遊技と、前記駆動手段が非作動となるラウンド遊技間インターバル時間とを含む
　また、本件補正発明の構成Ｄの「第２エラー条件が満たされる第２エラー」に関し、「
前記ラウンド遊技間インターバル時間を含む前記駆動手段の非作動中に
　
　そうすると、本願発明と引用発明とは、前記「第２　３（４）対比」において抽出した相違点２（構成Ｅ）、及び、次の相違点１’（構成Ｄ１）で相違し、その余の点において一致する。
　
［相違点１’］（構成Ｄ１）
　その発生に伴い、発生したことを特定可能な文字画像を含むエラー表示を表示手段において実行される、入賞エラーに関し、
　本願発明は、「始動入賞検知手段が球検知した際に第１エラー条件が満たされる第１エラー」と「特別入賞検知手段が球検知した際に第２エラー条件が満たされる第２エラー」とを設け、「第１エラーが発生した場合に、該第１エラーであることを特定可能な文字画像を少なくとも含む第１エラー表示」と「第２エラーが発生した場合に、該第２エラーであることを特定可能な文字画像を少なくとも含む第２エラー表示」とを表示手段において実行するのに対して、
　引用発明は、入賞異常（エラー１０）が、本願発明のような第１エラー及び第２エラーを含み、それぞれのエラーに対応するエラー表示がなされるか否か不明な点。
　
　そこで、上記相違点１’、２について検討する。
　
　　ア　相違点１’について
　前記「第２　３（５）ア　相違点１について」において検討したように、遊技機の技術分野において、始動入賞口に係る異常の発生を検出するために、始動入賞検知手段が球検知した際にエラー条件が満たされるエラーが発生したことを検出すること、及び、検出したエラーについてその発生を報知することは、上記周知の技術事項１として示したように、本願の出願前に周知の技術事項である。
　また、同じく、遊技機の技術分野において、大入賞口に係る異常の発生を検出するために、大入賞口検知手段が球検知した際にエラー条件が満たされるエラーが発生したことを検出すること、及び、検出したエラーについてその発生を報知することは、本願の出願前に周知の技術事項である（例えば、上記引用文献２には、遊技動作状態の異常の有無を監視するエラー管理処理において、遊技動作状態の異常として、基板間に断線が生じたか否かを監視したり、不正入賞があったか否かを監視したりするものにおいて、大当り遊技中でないにもかかわらず大入賞口センサ５２ａが遊技球を検出した場合は、エラー処理として、演出手段によりエラーが発生した旨を報知すること（【０１５９】、【０１６１】）が記載され、
　特開２００８−９３３６３号公報には、大当り遊技も小当り遊技も行われていない状態のときに大入賞口に遊技球の入賞があれば、その入賞を異常入賞であると判断すること（【０３６７】）が記載され、
　特開２０１０−１０４６８３号公報には、遊技機の異常を検出するために、大当たりラウンド中でないにもかかわらず、大入賞口スイッチで遊技球が検出されると、入賞エラーカウンタを１加算すること（【０００８】、【０１１２】）が記載されている。以下「周知の技術事項３」という。
　そして、引用発明と、上記周知の技術事項１及び３とは、入賞異常の発生を検出するという共通の課題を解決するものである。
　よって、引用発明の「入賞異常（エラー１０）」の検出に上記周知の技術事項１及３を適用して、「入賞異常（エラー１０）」の検出として、始動入賞異常と大入賞口異常の入賞異常の検出を可能とすると共に、異常の種類に対応するエラー表示を行うようにし、上記相違点１’に係る本願発明の構成とすることは、当業者が容易になし得たものである。
　
　　イ　相違点２について
　上記相違点２については、前記「第２　３（５）イ　相違点２について」において検討したと同様に、引用発明及び上記周知の技術事項２に基づいて当業者が容易になし得たものである。
　
　　ウ　小括
　本願発明により奏される効果は、当業者が、引用発明、及び、上記周知の技術事項１〜３から予測し得る効果の範囲内のものであって、格別なものではない。
　よって、本願発明は、引用発明、及び、上記周知の技術事項１〜３に基いて当業者が容易に発明をすることができたものである。
　
　５　むすび
　上記１〜４より、本願発明は、特許法第２９条第２項の規定に基づいて特許を受けることができないものである。
　したがって、他の請求項について検討するまでもなく、本願は拒絶すべきである。
　
　よって、結論のとおり審決する。